【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
１又は複数の組織又は個体において２以上の生体分子の相対分子流速を分析する方法であって、
（ａ）２以上の生体分子のアイソトープ標識の含量、取り込み率及び／若しくはパターン、又は含量及び／若しくはパターンの変化率を測定して前記２以上の生体分子の分子流速を決定するステップであって、前記アイソトープ標識した水は、前記標識がｉｎ  ｖｉｖｏで２以上の生体分子に取り込まれて２以上のアイソトープ標識生体分子を形成するのに十分な時間にわたり１又は複数の組織又は個体に投与されたものであり、さらに１又は複数の生体試料は前記１又は複数の組織又は個体から得られたものであって、前記１又は複数の生体試料は共に前記２以上のアイソトープ標識生体分子を含むものである、上記ステップと、
（ｂ）前記２以上の生体分子の分子流速を比較して前記２以上の生体分子の相対分子流速を分析するステップと
を含む方法。
【請求項２】
前記アイソトープ標識した水は２Ｈ２Ｏであった、請求項１に記載の方法。
【請求項３】
前記アイソトープ標識した水は経口、非経口、皮下、血管内、又は腹腔内投与されたものである、請求項１に記載の方法。
【請求項４】
前記アイソトープした標識水は経口投与されたものである、請求項３に記載の方法。
【請求項５】
前記個体がヒトである、請求項１に記載の方法。
【請求項６】
ステップ（a）及び（b）の残りを実施する前に、前記標識がｉｎ  ｖｉｖｏで２以上の生体分子に取り込まれて２以上のアイソトープ標識生体分子を形成するのに十分な時間にわたる前記アイソトープ標識した水の１又は複数の組織又は個体への投与が中断する追加のステップを含む、請求項１に記載の方法。
【請求項７】
前記生体分子が異なる生化学クラスに属する、請求項１に記載の方法。
【請求項８】
前記アイソトープ標識した水は単回投与で投与されたものである、請求項１に記載の方法。
【請求項９】
前記標識水の投与は、連続投与、間欠投与、単回投与及び複数回投与から選択されたものである、請求項１に記載の方法。
【請求項１０】
前記生体試料は生前に得られたものである、請求項１に記載の方法。
【請求項１１】
前記生体試料は採血、採尿又は生検によって得られたものである、請求項１０に記載の方法。
【請求項１２】
複数の生体試料は前記個体から得られたものである、請求項１に記載の方法。
【請求項１３】
前記生体試料は死後採取されたものである、請求項１に記載の方法。
【請求項１４】
前記測定ステップ（a）が、前記２以上の生体分子のアイソトープ濃縮を質量アイソトポマー分布分析（ＭＩＤＡ）によって計算し、前駆体−生成物又は指数関数的減衰方程式を適用して前記２以上の生体分子の分子流速を決定することを含む、請求項１に記載の方法。
【請求項１５】
測定ステップ（a）の前に前記生体分子を化学的に変換する追加のステップを更に含む、請求項１に記載の方法。
【請求項１６】
前記化学変換ステップが前記生体分子を分解することを含む、請求項１５に記載の方法。
【請求項１７】
前記化学変換ステップが前記生体分子を化学修飾又は誘導体化することを含む、請求項１５に記載の方法。
【請求項１８】
前記比較ステップ（b）が前記分子流速の比率又はグラフ関係を測定することを含む、請求項１に記載の方法。
【請求項１９】
ステップ（a）が液体シンチレーションカウンター、ＮＭＲ又は質量分析によって前記２以上の生体分子を検出することを含む、請求項１に記載の方法。
【請求項２０】
ステップ（a）が質量分析によって前記２以上の生体分子を検出することを含む、請求項１９に記載の方法。
【請求項２１】
前記２以上の生体分子が第１の生体分子及び第２の生体分子を含み、第１の生体分子がＤＮＡであり、第２の生体分子がタンパク質である、請求項１に記載の方法。
【請求項２２】
前記生体試料は、筋肉、肝臓、副腎組織、前立腺組織、結腸組織、子宮内膜組織、皮膚、胸部組織、脂肪組織、結腸、リンパ組織及び脳より選択される群から得られたものである、請求項２１に記載の方法。
【請求項２３】
前記ＤＮＡ及び前記タンパク質が同時に測定される、請求項２１に記載の方法。
【請求項２４】
前記生体試料が腫瘍細胞を含む、請求項２１に記載の方法。
【請求項２５】
前記生体試料が細菌を含む、請求項２１に記載の方法。
【請求項２６】
前記タンパク質が細胞タンパク質であり、前記ＤＮＡがミトコンドリアＤＮＡである、請求項２１に記載の方法。
【請求項２７】
前記タンパク質が細胞タンパク質であり、前記ＤＮＡがゲノムＤＮＡである、請求項２１に記載の方法。
【請求項２８】
第１の生体分子が脂肪組織アシルグリセリドであり、第２の生体分子がタンパク質又はＤＮＡである、請求項２１に記載の方法。
【請求項２９】
更に第３の生体分子を含み、第２の生体分子がタンパク質であり、第３の生体分子がＤＮＡである、請求項２８に記載の方法。
【請求項３０】
前記１又は複数の生体試料は体組織から得られたものである、請求項１に記載の方法。
【請求項３１】
前記体組織は、筋肉、肝臓、副腎組織、前立腺組織、結腸組織、子宮内膜組織、皮膚、脂肪組織、胸部組織、結腸、リンパ組織及び脳から選択されたものである、請求項３０に記載の方法。
【請求項３２】
第１の生体分子が肺コラーゲンであり、第２の生体分子が肺線維芽細胞ＤＮＡである、請求項２１に記載の方法。
【請求項３３】
第１の生体分子がタンパク質であり、第２の生体分子がｍＲＮＡである、請求項２１に記載の方法。
【請求項３４】
第１の生体分子がｍＲＮＡであり、第２の生体分子がＤＮＡである、請求項１に記載の方法。
【請求項３５】
前記２以上の生体分子が、アポリポタンパク質Ｂ、トリグリセリド、リン脂質、コレステロール及びコレステロールエステルから選択される、請求項１に記載の方法。
【請求項３６】
前記１又は複数の生体試料は肝臓及び血液から選択されたものである、請求項３５に記載の方法。
【請求項３７】
第１の生体分子がトリグリセリドのグリセロール部分であり、第２の生体分子がトリグリセリドの脂肪酸部分である、請求項２１に記載の方法。
【請求項３８】
第１の生体分子がミトコンドリアカルジオリピンであり、第２の生体分子がミトコンドリアＤＮＡである、請求項２１に記載の方法。
【請求項３９】
第１の生体分子がＢ細胞ＤＮＡであり、第２の生体分子が血漿免疫グロブリンである、請求項２１に記載の方法。
【請求項４０】
第１の生体分子が真皮コラーゲンであり、第２の生体分子が真皮エラスチンである、請求項２１に記載の方法。
【請求項４１】
第１の生体分子が皮膚ケラチンであり、第２の生体分子がケラチン生成細胞ＤＮＡである、請求項２１に記載の方法。
【請求項４２】
個体の１又は複数の組織内又は個体内における疾患、障害又は病態の進行を検出、予後診断又はモニターする方法であって、
ａ）１又は複数の組織又は個体からなる第１の集団における２以上の生体分子の相対分子流速を、請求項１に記載の方法に従って測定及び比較するステップであって、第１の集団が前記疾患、障害又は病態を有さない組織又は個体を含むものである、上記ステップと、
ｂ）１又は複数の組織又は個体からなる第２の集団における前記２以上の生体分子の相対分子流速を、請求項１に記載の方法に従って測定及び比較するステップと、
ｃ）第１及び第２の集団における分子流速の相違を決定して、前記疾患、障害又は病態の進行を検出、予後診断又はモニターするステップと
を含む方法。
【請求項４３】
間質性肺線維症の進行を診断、予後診断又はモニターする方法であって、
ａ）１又は複数の組織又は個体からなる第１の集団における、２以上の生体分子の分子流速を、請求項１に記載の方法に従って測定及び比較するステップであって、第１の集団が前記間質性肺線維症を有さない組織又は個体を含み、前記２以上の生体分子が肺コラーゲン及び線維芽細胞ＤＮＡを含むものである、上記ステップと、
ｂ）１又は複数の組織又は個体からなる第２の集団における２以上の生体分子の分子流速を、請求項１に記載の方法に従って測定及び比較するステップであって、前記２以上の生体分子が肺コラーゲン及び線維芽細胞ＤＮＡを含むものである、上記ステップと、
ｃ）第１及び第２の集団の分子流速の相違を決定して、間質性肺線維症の進行を診断、予後診断又はモニターするステップと
を含む方法。
【請求項４４】
高脂血症の進行を診断、予後診断又はモニターする方法であって、
ａ）１又は複数の組織又は個体からなる第１の集団における２以上の生体分子の分子流速を、請求項１に記載の方法に従って測定及び比較するステップであって、第１の集団が高脂血症を有さない組織又は個体を含み、前記２以上の生体分子がアポリポタンパク質Ｂ、トリグリセリド、リン脂質、コレステロールから選択される、上記ステップと、
ｂ）１又は複数の組織又は個体からなる第２の集団における前記２以上の生体分子の分子流速を、請求項１に記載の方法に従って測定及び比較するステップであって、前記２以上の生体分子がアポリポタンパク質Ｂ、トリグリセリド、リン脂質、コレステロールから選択される、上記ステップと、
ｃ）第１及び第２の集団の分子流速の相違を決定して、高脂血症の進行を診断、予後診断又はモニターするステップと
を含む方法。
【請求項４５】
家族性混合型高脂血症の進行を診断、予後診断又はモニターする方法であって、
ａ）１又は複数の組織又は個体からなる第１の集団における２以上の生体分子の分子流速を、請求項１に記載の方法に従って測定及び比較するステップであって、第１の集団が家族性混合型高脂血症を有さない組織及び個体を含み、前記２以上の生体分子が、アポリポタンパク質Ｂとトリグリセリド、リン脂質、コレステロール及びコレステロールエステルから選択される生体分子である、上記ステップと、
ｂ）１又は複数の組織又は個体からなる第２の集団における前記２以上の生体分子の分子流速を、請求項１に記載の方法に従って測定及び比較するステップと、
ｃ）第１及び第２の集団の分子流速の相違を決定して、第２の集団における家族性混合型高脂血症の進行を診断、予後診断又はモニターするステップと
を含む方法。
【請求項４６】
細胞免疫活性化の障害の進行を診断、予後診断又はモニターする方法であって、
ａ）１又は複数の組織又は個体からなる第１集団における２以上の生体分子の分子流速を、請求項１に記載の方法に従って測定及び比較するステップであって、第１又は第２の集団が細胞免疫活性化の障害を有さない組織又は個体を含み、前記生体分子がＴ細胞ＤＮＡ及び血漿免疫グロブリンである、上記ステップと、
ｂ）１又は複数の組織又は個体からなる第２の集団における前記２以上の生体分子の分子流速を、請求項１に記載の方法に従って測定及び比較するステップと、
ｃ）第１及び第２の集団において比較された分子流速の相違を決定して、細胞免疫活性化の障害の進行を診断、予後診断又はモニターするステップであって、第１の集団と比較した第２の集団において血漿免疫グロブリン分子流速に対してＴ細胞ＤＮＡ分子流速が低下していることにより、第２の集団における細胞免疫活性化の障害の進行が同定される、上記ステップと
を含む方法。
【請求項４７】
光老化（皮膚のしわ）を診断、予後診断又はモニターする方法であって、
ａ）１又は複数の組織又は個体からなる第１の集団における２以上の生体分子の分子流速を、請求項１に記載の方法に従って測定及び比較するステップであって、第１の集団が検出可能な光老化を有さない組織又は個体を含み、前記２以上の生体分子が真皮コラーゲン及び真皮エラスチンである、上記ステップと、
ｂ）１又は複数の組織又は個体からなる第２の集団における前記２以上の生体分子の分子流速を、請求項１に記載の方法に従って測定及び比較するステップであって、前記２以上の生体分子が真皮コラーゲン及び真皮エラスチンである、上記ステップと、
ｃ）第１及び第２の集団において比較された分子流速の相違を決定して、光老化を診断、予後診断又はモニターするステップであって、第１の集団と比較した第２の集団において真皮エラスチン分子流速に対して真皮コラーゲン分子流速が変化していることにより、第２の集団における光老化の変化が同定されるステップと
を含む方法。
【請求項４８】
治療薬の有効性を決定する方法であって、
ａ）１又は複数の組織又は個体からなる第１の集団における２以上の生体分子の分子流速を、請求項１に記載の方法に従って測定及び比較するステップであって、第１の集団の前記１又は複数の組織又は個体が前記治療薬を必要としている、上記ステップと、
ｂ）１又は複数の組織又は個体からなる第２の集団における前記２以上の生体分子の分子流速を、請求項１に記載の方法に従って測定及び比較するステップであって、１又は複数の組織又は個体からなる前記第２の集団は前記治療薬が投与されたものであって、第２の集団の１又は複数の組織又は個体は前記治療薬を必要としたものであり；さらに第１及び第２の集団において比較された分子流速の相違により、前記治療薬を必要とする組織又は個体における前記治療薬の有効性が測定される、上記ステップと
を含む方法。
【請求項４９】
治療薬の有効性を決定する方法であって、
ａ）１又は複数の組織又は個体からなる集団における２以上の生体分子の分子流速を、請求項１に記載の方法に従って測定及び比較するステップであって、前記集団の前記１又は複数の組織又は個体が前記治療薬を必要としている、上記ステップと、
ｂ）１又は複数の組織又は個体からなる前記集団における前記２以上の生体分子の分子流速を、請求項１に記載の方法に従って測定及び比較するステップであって、前記集団は前記治療薬が投与されたものであって；さらに前記治療薬の投与前後に前記集団において比較された分子流速の相違により、前記治療薬を必要とした組織又は個体における前記治療薬の有効性が測定される、上記ステップと
を含む方法。
【請求項５０】
化学療法剤の殺腫瘍又は腫瘍静止作用を決定する方法であって、
ａ）１又は複数の組織又は個体からなる第１の集団における、２以上の生体分子の分子流速を、請求項１に記載の方法に従って測定及び比較するステップであって、前記２以上の生体分子が細胞タンパク質及び細胞ＤＮＡであり、第１の集団の前記１又は複数の組織又は個体が治療を必要としている、上記ステップと、
ｂ）第２の集団において前記細胞タンパク質及び細胞ＤＮＡの分子流速を、請求項１に記載の方法に従って測定及び比較するステップであって、１又は複数の組織又は個体からなる第２の集団は前記化学療法剤が投与されたものであって、第２の集団の１又は複数の組織又は個体は前記化学療法剤を必要としたものであり；さらに第１の集団と第２の集団の間の相対分子流速の相違により、前記化学療法剤を必要とする組織又は個体において前記化学療法剤が、ＤＮＡ及びタンパク質の流れに対してほぼ同等の作用を有する場合は殺腫瘍作用があり、タンパク質よりもＤＮＡに対する影響が大きい場合は腫瘍静止作用があることが示される、上記ステップと
を含む方法。
【請求項５１】
化学療法剤の殺腫瘍又は腫瘍静止作用を決定する方法であって、
ａ）１又は複数の組織又は個体からなる集団における２以上の生体分子の分子流速を、請求項１に記載の方法に従って測定及び比較するステップであって、前記２以上の生体分子が細胞タンパク質及び細胞ＤＮＡであり、前記１又は複数の組織又は個体が前記化学療法剤を必要としている、上記ステップと、
ｂ）前記１又は複数の組織又は個体からなる集団における前記２以上の生体分子の分子流速を測定及び比較するステップであって、前記個体又は集団は前記化学療法剤が投与されたものであり；前記化学療法剤の投与後に前記化学療法剤の殺腫瘍又は腫瘍静止作用を決定するステップと
を含む方法。
【請求項５２】
抗生物質の殺生作用又は静止作用を決定する方法であって、
ａ）前記組織又は個体において１又は複数の感染性生物からなる第１の集団における２以上の生体分子の分子流速を、請求項１に記載の方法に従って測定及び比較するステップであって、前記２以上の生体分子が前記１又は複数の感染性生物に由来するタンパク質及びＤＮＡであり、第１の集団の前記１又は複数の組織又は個体が前記抗生物質を必要としている、上記ステップと、
ｂ）１又は複数の組織又は個体において感染性生物からなる第２の集団における前記２以上の生体分子の分子流速を、請求項１に記載の方法に従って測定及び比較するステップであって；前記組織又は個体における１又は複数の感染性生物からなる第２の集団は前記抗生物質が投与されたものであって、第２の集団の前記１又は複数の組織が前記抗生物質を必要としたものである、上記ステップと
ｃ）感染性生物の第１及び第２の集団において前記２以上の生体分子の相対分子流速の相違を決定して前記抗生物質の殺生作用又は静止作用を決定するステップと
を含む方法。
【請求項５３】
治療中の抗生物質の殺生作用又は静止作用を決定する方法であって、
ａ）前記組織又は個体において１又は複数の感染性生物からなる集団における２以上の生体分子の分子流速を、請求項１に記載の方法に従って測定及び比較するステップであって、前記２以上の生体分子が前記感染性生物に由来するタンパク質及びＤＮＡであり、第１の集団の前記１又は複数の組織又は個体が前記抗生物質を必要としている、上記ステップと、
ｂ）前記１又は複数の組織又は個体において感染性生物からなる前記集団における前記２以上の生体分子の分子流速を、請求項１に記載の方法に従って測定及び比較して前記抗生物質の殺生作用又は静止作用を決定するステップであって、前記集団は前記抗生物質が投与されたものであって、前記集団の前記１又は複数の組織又は個体が前記抗生物質を必要としたものである、上記ステップと
を含む方法。
【請求項５４】
消耗性又は虚弱性の疾患又は障害を有する１又は複数の組織又は個体においてアンドロゲンの治療効果を同定する方法であって、
ａ）１又は複数の組織又は個体からなる第１の集団における２以上の生体分子の分子流速を、請求項１に記載の方法に従って測定及び比較するステップであって、第１の生体分子が筋肉タンパク質又は筋肉ＤＮＡであり、第２の生体分子が脂肪組織トリグリセリドであり、第１の集団の前記１又は複数の組織又は個体が前記消耗性又は虚弱性の障害と診断されている、上記ステップと、
ｂ）前記１又は複数の組織又は個体からなる第２の集団における第１及び第２の生体分子の相対分子流速を、請求項１に記載の方法に従って測定及び比較するステップであって；１又は複数の組織又は個体からなる第２の集団は前記アンドロゲンが投与されたものであって、第２の集団の前記１又は複数の組織又は個体が消耗性又は虚弱性の障害と診断されたものである、上記ステップと、
ｃ）第１及び第２の集団の相対分子流速の相違を決定して、前記アンドロゲンの治療効果を同定するステップと
を含む方法。
【請求項５５】
消耗性又は虚弱性の疾患又は障害を有する１又は複数の組織又は個体においてアンドロゲンの治療効果を同定する方法であって、
ａ）前記１又は複数の組織又は個体からなる集団における２以上の生体分子の分子流速を、請求項１に記載の方法に従って測定及び比較するステップであって、第１の生体分子が筋肉タンパク質又は筋肉ＤＮＡであり、第２の生体分子が脂肪組織トリグリセリドであり、前記集団の前記１又は複数の組織又は個体が前記消耗性又は虚弱性の障害と診断されている、上記ステップと、
ｂ）前記集団において第１及び第２の生体分子の相対分子流速を、請求項１に記載の方法に従って測定及び比較するステップであって、前記集団は前記アンドロゲンが投与されたものであり；さらに前記治療薬の投与後の前記集団において前記脂肪組織トリグリセリドの分子流速に対して前記筋肉タンパク質又は筋肉ＤＮＡの分子流速が増加していることにより、消耗性又は虚弱性の疾患又は障害における前記アンドロゲンの治療効果が同定される、上記ステップと
を含む方法。
【請求項５６】
消耗性又は虚弱性の疾患又は障害における成長因子又はタンパク質同化剤の治療効果を同定する方法であって、
ａ）前記１又は複数の組織又は個体からなる第１の集団における２以上の生体分子の分子流速を、請求項１に記載の方法に従って測定及び比較するステップであって、第１の生体分子が筋肉タンパク質又は筋肉ＤＮＡであり、第２の生体分子が脂肪組織トリグリセリドである、上記ステップと、
ｂ）前記１又は複数の組織又は個体からなる第２の集団において第１及び第２の生体分子の分子流速を、請求項１に記載の方法に従って測定及び比較するステップであって、１又は複数の組織又は個体からなる前記第２の集団は前記成長因子又はタンパク質同化剤が投与されたものであり；さらに第１の集団と比較した第２の集団における前記脂肪組織トリグリセリドの分子流速に対する前記筋肉タンパク質又は筋肉ＤＮＡの分子流速が増加していることにより、消耗性又は虚弱性の疾患又は障害における前記成長因子又はタンパク質同化剤の有益な治療効果が同定される、上記ステップと、
ｃ）第１及び第２の集団において前記２以上の生体分子の相対分子流速の相違を決定して前記成長因子又はタンパク質同化剤の治療効果を同定するステップと
を含む方法。
【請求項５７】
消耗性又は虚弱性の疾患又は障害における成長因子又はタンパク質同化剤の有益な治療効果を同定する方法であって、
ａ）前記１又は複数の組織又は個体からなる集団における２以上の生体分子の分子流速を、請求項１に記載の方法に従って測定及び比較するステップであって、第１の生体分子が筋肉タンパク質又は筋肉ＤＮＡであり、第２の生体分子が脂肪組織トリグリセリドである、上記ステップと、
ｂ）前記成長因子又はタンパク質同化剤の投与後に前記集団において第１及び第２の生体分子の分子流速を、請求項１に記載の方法に従って測定及び比較するステップであって、前記集団は前記成長因子又はタンパク質同化剤が投与されたものであり；さらに前記成長因子又はタンパク質同化剤の投与後の前記集団において前記脂肪組織トリグリセリドの分子流速に対する前記筋肉タンパク質又は筋肉ＤＮＡの分子流速が増加していることにより、消耗性又は虚弱性の疾患又は障害における前記成長因子又はタンパク質同化剤の有益な治療効果が同定される、上記ステップと
を含む方法。
【請求項５８】
乳癌治療における選択的エストロゲン受容体モジュレーター（ＳＥＲＭ）の有益な治療効果を同定する方法であって、
ａ）前記１又は複数の組織又は個体からなる第１の集団における２以上の生体分子の分子流速を、請求項１に記載の方法に従って測定及び比較するステップであって、第１の生体分子が乳房上皮細胞ＤＮＡ又は子宮内膜細胞ＤＮＡであり、第２の生体分子が乳房内のエストロゲン非感受性細胞に由来するタンパク質又はＤＮＡであり、前記エストロゲン非感受性細胞が脂肪細胞、線維芽細胞、間質細胞、内皮細胞又は他の非上皮細胞から選択され、第１の集団の前記１又は複数の組織又は個体が乳癌と診断されている、上記ステップと、
ｂ）前記１又は複数の組織又は個体からなる第２の集団において前記２以上の生体分子の相対分子流速を、請求項１に記載の方法に従って測定及び比較するステップであって、前記１又は複数の組織又は個体からなる第２の集団は、前記ＳＥＲＭが投与されたものであって、第２の集団の前記１又は複数の組織又は個体は乳癌と診断されたものであり；さらに第１の集団と比較した第２の集団におけるエストロゲン非感受性細胞に由来する前記タンパク質又はＤＮＡの分子流速に対する前記乳房上皮細胞ＤＮＡ又は子宮内膜細胞ＤＮＡの分子流速が減少していることにより、乳癌に対する前記ＳＥＲＭの有益な治療効果が同定される、上記ステップと
を含む方法。
【請求項５９】
乳癌治療における選択的エストロゲン受容体モジュレーター（ＳＥＲＭ）の有益な治療効果を同定する方法であって、
ａ）前記１又は複数の組織又は個体からなる集団における２以上の生体分子の分子流速を、請求項１に記載の方法に従って測定及び比較するステップであって、第１の生体分子が乳房上皮細胞ＤＮＡ又は子宮内膜細胞ＤＮＡであり、第２の生体分子が乳房の脂肪細胞、線維芽細胞、間質細胞、内皮細胞及び他の非上皮細胞から選択される乳房内のエストロゲン非感受性細胞に由来するタンパク質又はＤＮＡであり、第１の集団の前記１又は複数の組織又は個体が乳癌と診断されている、上記ステップと、
ｂ）前記組織又は個体からなる集団において前記２以上の生体分子の相対分子流速を、請求項１に記載の方法に従って測定及び比較するステップであって、前記組織又は個体からなる集団は前記ＳＥＲＭが投与されたものであり；さらに前記ＳＥＲＭの投与後の前記集団において乳房内のエストロゲン非感受性細胞に由来する前記タンパク質又はＤＮＡの分子流速に対して前記乳房上皮細胞ＤＮＡ又は子宮内膜細胞ＤＮＡの分子流速が減少していることにより、乳癌に対する前記ＳＥＲＭの有益な治療効果が同定される、上記ステップと
を含む方法。
【請求項６０】
骨粗鬆症治療における選択的エストロゲン受容体モジュレーター（ＳＥＲＭ）の有益な治療効果を同定する方法であって、
ａ）前記１又は複数の組織又は個体からなる第１の集団における２以上の生体分子の分子流速を、請求項１に記載の方法に従って測定及び比較するステップであって、第１の生体分子が骨コラーゲンであり、第２の生体分子が乳房上皮細胞ＤＮＡ又は子宮内膜細胞ＤＮＡであり、第１の集団の前記１又は複数の組織又は個体が骨粗鬆症と診断されている、上記ステップと、
ｂ）前記１又は複数の組織又は個体からなる第２の集団において前記２以上の生体分子の相対分子流速を、請求項１に記載の方法に従って測定及び比較するステップであって、前記１又は複数の組織又は個体からなる第２の集団は前記ＳＥＲＭが投与されたものであって、前記１又は複数の組織又は個体は骨粗鬆症と診断されたものであり；さらに第１の集団と比較した第２の集団における前記乳房上皮細胞ＤＮＡ又は子宮内膜細胞ＤＮＡの分子流速に対する骨コラーゲンの分子流速が増加していることにより、骨粗鬆症に対する前記ＳＥＲＭの有益な治療効果が同定される、上記ステップと
を含む方法。
【請求項６１】
骨粗鬆症治療における選択的エストロゲン受容体モジュレーター（ＳＥＲＭ）の有益な治療効果を同定する方法であって、
ａ）前記１又は複数の組織又は個体からなる集団における２以上の生体分子の分子流速を、請求項１に記載の方法に従って測定及び比較するステップであって、第１の生体分子が骨コラーゲンであり、第２の生体分子が乳房上皮細胞ＤＮＡ又は子宮内膜細胞ＤＮＡであり、前記集団の前記１又は複数の個体が骨粗鬆症と診断されている、上記ステップと、
ｂ）前記ＳＥＲＭの投与後に前記集団において前記２以上の生体分子の相対分子流速を、請求項１に記載の方法に従って測定及び比較するステップであって、１又は複数の組織又は個体からなる前記集団は前記ＳＥＲＭが投与されたものであり；さらに前記ＳＥＲＭの投与後の前記集団において前記乳房上皮細胞ＤＮＡ又は子宮内膜細胞ＤＮＡの分子流速に対して骨コラーゲンの分子流速が増加していることにより、骨粗鬆症に対する前記ＳＥＲＭの有益な治療効果が同定される、上記ステップと
を含む方法。
【請求項６２】
アルツハイマー病の治療における治療薬の有効性を測定する方法であって、
ａ）１つ又は複数の組織又は個体からなる第１の集団における２以上の生体分子の分子流速を、請求項１に記載の方法に従って測定及び比較するステップであって、第１の生体分子が脳アミロイドβタンパク質であり、第２の生体分子が脳２５−ヒドロキシコレステロールであり、前記１又は複数の組織がアルツハイマー病と診断された患者から得られ、あるいは個体がアルツハイマー病と診断されている、上記ステップと、
ｂ）１又は複数の組織又は個体からなる第２の集団において前記２以上の生体分子の分子流速を、請求項１に記載の方法に従って測定及び比較するステップであって、１又は複数の組織又は個体からなる第２の集団は前記治療薬が投与されたものであって、前記１又は複数の組織はアルツハイマー病と診断された患者或いはアルツハイマー病と診断された個体から得られたものであり；さらに第１の集団と比較した第２の集団における前記２５−ヒドロキシコレステロールの分子流速に対する前記脳アミロイドβタンパク質の分子流速が減少していることにより、アルツハイマー病の治療における前記治療薬の有益な治療効果が同定される、上記ステップと
を含む方法。
【請求項６３】
アルツハイマー病の治療における治療薬の有効性を測定する方法であって、
ａ）１又は複数の組織又は個体からなる集団における２以上の生体分子の分子流速を、請求項１に記載の方法に従って測定及び比較するステップであって、第１の生体分子が脳アミロイドβタンパク質であり、第２の生体分子が脳２５−ヒドロキシコレステロールであり、前記１又は複数の組織がアルツハイマー病と診断された患者から得られ、あるいは前記集団の個体がアルツハイマー病と診断されている、上記ステップと、
ｂ）前記ホルモン又は他の治療薬の投与後に前記１又は複数の組織又は個体からなる集団において前記２以上の生体分子の分子流速を、請求項１に記載の方法に従って測定及び比較するステップであって、前記１又は複数の組織又は個体からなる前記集団は前記治療薬が投与されたものであり；さらに前記治療薬の投与後に前記集団における前記２５−ヒドロキシコレステロールの分子流速に対する前記脳アミロイドβタンパク質の分子流速が減少していることにより、アルツハイマー病の治療における前記治療薬の有益な治療効果が同定される、上記ステップと
を含む方法。
【請求項６４】
個体における有酸素運動に対する筋組織の反応を決定する方法であって、
ａ）２以上の生体分子の分子流速を、請求項１に記載の方法に従って測定及び比較するステップであって、前記２以上の生体分子が細胞タンパク質及びミトコンドリアＤＮＡであり、生体試料が筋組織を含む、上記ステップと、
ｂ）前記２以上の生体分子の分子流速を、請求項１に記載の方法に従って測定及び比較して前記有酸素運動に対する前記筋組織の反応を決定するステップであって、個体は有酸素運動を受けたものであり、前記生体試料は筋組織を含み、前記細胞タンパク質の分子流速に対して前記ミトコンドリアＤＮＡの分子流速が増加していることにより有酸素適応性の増加が同定される、上記ステップと
を含む方法。
【請求項６５】
組織又は個体におけるタンパク質発現の変化の原因を同定する方法であって、
ａ）第１の時点で２以上の生体分子の分子流速を、請求項１記載の方法に従って測定及び比較するステップであって、前記２以上の生体分子がタンパク質及び前記タンパク質をコードするｍＲＮＡ分子である、上記ステップと、
ｂ）第２の時点で前記２以上の生体分子の分子流速を、請求項１に記載の方法に従って測定及び比較して前記タンパク質の発現の変化の原因を同定するステップであって、
前記ｍＲＮＡに対して前記タンパク質の分子流速が増加していることにより翻訳調節の変化が特定され、
前記ｍＲＮＡに対して前記タンパク質の分子流速が増加していることにより転写調節の変化が特定される、上記ステップと
を含む方法。
【請求項６６】
全質量又はタンパク質発現の変化の原因を同定する方法であって、
ａ）第１の時点で２以上の生体分子の分子流速を、請求項１に記載の方法に従って測定及び比較するステップであって、前記２以上の生体分子が全細胞ｍＲＮＡ及び全細胞ＤＮＡである、上記ステップと、
ｂ）第２の時点で前記２以上の生体分子の分子流速を、請求項１に記載の方法に従って測定及び比較して全質量又はタンパク質発現の変化の原因を特定するステップであって、
前記ＤＮＡの前記分子流速に対して前記ｍＲＮＡの前記分子流速が増加していることにより、転写が全質量又はタンパク質発現の変化の原因として同定され、
全細胞ＤＮＡの前記分子流速に対して全細胞ｍＲＮＡの前記分子流速が減少していることにより、細胞分裂の変化が全質量又はタンパク質発現の変化の原因として同定される、上記ステップと
を含む方法。
【請求項６７】
生物学的因子の治療特性を同定する方法であって、
ａ）１又は複数の組織又は個体からなる第１の集団における２以上の生体分子の分子流速を、請求項１に記載の方法に従って測定及び比較するステップと、
ｂ）第２の集団における前記２以上の生体分子の分子流速を、請求項１に記載の方法に従って測定及び比較するステップであって、１又は複数の組織又は個体からなる第２の集団は前記生物学的因子が投与されたものであり；さらに第１の集団と第２の集団の間で比較された分子流速の相違から前記生物学的因子の治療特性が同定される、上記ステップと
を含む方法。
【請求項６８】
生物学的因子の治療特性を同定する方法であって、
ａ）１又は複数の組織又は個体からなる集団における２以上の生体分子の分子流速を、請求項１に記載の方法に従って測定及び比較するステップと、
ｂ）前記生物学的因子の投与後に前記集団における前記２以上の生体分子の分子流速を、請求項１に記載の方法に従って測定及び比較するステップであって、１又は複数の組織又は個体の前記集団は前記生物学的因子が投与されたものであり；さらに前記集団において前記生物学的因子の投与の前後で比較された分子流速が相違していることにより、前記生物学的因子の治療特性が同定される、上記ステップと
を含む方法。
【請求項６９】
前記生体試料が組織培養物である、請求項６７に記載の方法。
【請求項７０】
前記個体が実験動物である、請求項６７に記載の方法。
【請求項７１】
前記個体がヒトである、請求項６７に記載の方法。
【請求項７２】
前記２以上の生体分子の少なくとも１つがＤＮＡである、請求項６７に記載の方法。
【請求項７３】
前記２以上の生体分子の少なくとも１つがタンパク質である、請求項６７に記載の方法。
【請求項７４】
請求項６７に記載の方法に従ってハイスループットで複数の生物学的因子をスクリーニングする方法。
【請求項７５】
生物学的因子の１又は複数の毒性作用を決定する方法であって、
ａ）１又は複数の組織又は個体からなる第１の集団における２以上の生体分子の分子流速を、請求項１に記載の方法に従って測定及び比較するステップと、
ｂ）前記１又は複数の組織又は個体からなる第２の集団において前記２以上の生体分子の分子流速を、請求項１に記載の方法に従って測定及び比較するステップであって、１又は複数の組織又は生体分子からなる前記第２の集団は前記生物学的因子が投与されたものであり；さらに第１の集団と比較した第２の集団における第２の生体分子に対する第１の生体分子の分子流速が相違することにより、前記生物学的因子の毒性作用が同定される、上記ステップと
を含む方法。
【請求項７６】
１又は複数の化合物の毒性作用を決定する方法であって、
ａ）１又は複数の組織又は個体からなる集団における２以上の生体分子の分子流速を、請求項１に記載の方法に従って測定及び比較するステップと、
ｂ）前記１又は複数の化合物の投与後に前記集団において前記２以上の生体分子の分子流速を、請求項１に記載の方法に従って測定及び比較するステップであって、前記集団は前記１又は複数の化合物が投与されたものであり；さらに前記１又は複数の化合物の投与前後の前記集団において第２の生体分子に対する第１の生体分子の分子流速が相違することにより、前記１又は複数の化合物の毒性作用が同定される、上記ステップと
を含む方法。
【請求項７７】
治療標的を同定する方法であって、
ａ）１又は複数の組織又は個体からなる第１の集団における２以上の生体分子の分子流速を、請求項１に記載の方法に従って測定及び比較するステップと、
ｂ）１又は複数の組織又は個体からなる第２の集団において前記２以上の生体分子の分子流速を、請求項１に記載の方法に従って測定及び比較するステップであって、１又は複数の組織又は生体分子からなる第２の集団は１又は複数の化合物が投与されたものであり；さらに第１の集団と比較した第２の集団における前記２以上の生体分子の分子流速が相違することにより治療標的が同定される、上記ステップと
を含む方法。
【請求項７８】
治療標的を同定する方法であって、
ａ）１又は複数の組織又は個体からなる集団における２以上の生体分子の分子流速を、請求項１に記載の方法に従って測定及び比較するステップと、
ｂ）前記１又は複数の化合物の投与後に１又は複数の組織又は個体の集団における前記２以上の生体分子の分子流速を、請求項１に記載の方法に従って測定及び比較するステップであって、前記集団は１又は複数の化合物が投与されたものであり；さらに前記集団において前記１又は複数の化合物の投与の前後で比較された前記２以上の生体分子の分子流速が相違することにより治療標的が同定される、上記ステップと
を含む方法。
【請求項７９】
１又は複数の組織又は個体において２以上の生体分子の相対分子流速を測定及び比較するためのキットであって、
ａ）標識水、及び
ｂ）前記標識水を組織又は個体に投与するための１又は複数の手段
を含み、前記組織又は個体における前記２以上の生体分子の相対分子流速を測定及び比較するために使用されるキット。
【請求項８０】
前記１又は複数の生体分子を尿、骨又は筋肉から単離するための化学化合物を更に含む、請求項７９に記載のキット。
【請求項８１】
前駆体分子の投与のための手段を更に含む、請求項７９に記載のキット。
【請求項８２】
被験体から試料を採取するための器具を更に含む、請求項７９に記載のキット。
【請求項８３】
請求項１に記載の方法によって生成された、アイソトープで不安定化された分子。
【請求項８４】
タンパク質、脂質、核酸、グリコサミノグリカン、プロテオグリカン、ポルフィリン及び炭水化物分子から選択される、請求項８３に記載のアイソトープで不安定化された分子。